(57)【要約】【課題】少量の体液で、その体液の所定成分が正確に測定され得る体液採取具を提供すること。【解決手段】体液採取具１は、体液成分の測定装置とともに用いられるものである。この体液採取具１は、穿刺針と、前記穿刺針を収納し、かつ該穿刺針が出射する先端と前記測定装置に装着される基端とを有するハウジング３と、前記穿刺針を生体表面に穿刺することによって出た体液を導入するための導入部７４１と、導入部７４１と連通し、該体液を保持し該体液中の成分を検出するための検出部とを有する検出ユニット７とを備え、検出ユニット７は、ハウジング３の外表面に移動可能に設けられ、前記検出部が、体液を採取する第１の位置と、該第１の位置よりも基端側で前記体液成分が検出される第２の位置との間で変位可能である。【選択図】図２
2005348816.tif 000002
【特許請求の範囲】
【請求項１】
体液成分の測定装置とともに用いられる体液採取具であって、
穿刺針と、
前記穿刺針を収納し、かつ該穿刺針が出射する先端と前記測定装置に装着される基端とを有するハウジングと、
前記穿刺針を生体表面に穿刺することによって出た体液を導入するための導入部と、該導入部と連通し、該体液を保持し該体液中の成分を検出するための検出部とを有する検出ユニットとを備え、
前記検出ユニットは、前記ハウジングの外表面に移動可能に設けられ、前記検出部が、体液を採取する第１の位置と、該第１の位置よりも基端側で前記体液成分が検出される第２の位置との間で変位可能であることを特徴とする体液採取具。
【請求項２】
前記導入部が前記第１の位置において、前記ハウジングの先端に位置する請求項１に記載の体液採取具。
【請求項３】
前記ハウジングに対して回転可能に設けられ、前記検出部を保持する保持部を備えている請求項１または２に記載の体液採取具。
【請求項４】
前記ハウジングに対して該ハウジングの長手方向に移動可能に設けられ、前記検出部を保持する保持部を備えている請求項１または２に記載の体液採取具。
【請求項５】
前記検出部を前記第１の位置に停止させる第１の位置決め手段を備えている請求項１ないし４のいずれかに記載の体液採取具。
【請求項６】
前記検出部を前記第２の位置に停止させる第２の位置決め手段を備えている請求項１ないし５のいずれかに記載の体液採取具。
【請求項７】
前記検出部は、前記体液中の所定成分と反応する試験紙を有する請求項１ないし６のいずれかに記載の体液採取具。
【請求項８】
前記測定装置は、片手で把持および操作可能で、光学的に体液成分を測定するものである請求項１ないし７のいずれかに記載の体液採取具。
【発明の詳細な説明】
【技術分野】
【０００１】
本発明は、体液採取具に関する。
【背景技術】
【０００２】
近年、糖尿病患者の増加に伴い、日常の血糖値の変動を患者自身がモニターする自己血糖測定が推奨されてきている。
【０００３】
血糖測定は、まず、針や刃先等により皮膚に小さな傷をつくり、その傷から血液を出させる。次に、この出血した血液を、例えば、血液中のブドウ糖量に応じて呈色する試験紙（試験部）に供給・展開して呈色させ、その呈色の度合いを光学的に測定（測色）することにより、血糖値（血液中のブドウ糖量）を定量化する。
【０００４】
このような血糖測定（分析）を行う装置として、針の穿刺による皮膚の穿刺部位から出た血液が、流路（毛管間隙）を介して（通過して）、試験部に到達するよう構成された装置が特許文献１に開示されている。
【０００５】
試験部は、装置の設計上の制約（例えば、測定を正確に行うこと）により、試験紙を穿刺部位からある程度離しておく必要があった。すなわち、照射光を照射するためのＬＥＤと試験紙からの反射光とを検出するＰＤを含む測光ブロックが、ある程度のスペースを必要とし、測定装置の端部に試験紙を位置させることが難しく、また、装置端部に試験紙を位置させて測定を行うとき、チップ挿入口から入る外乱光の影響も考慮しなければならず、結果、試験紙をある程度装置内部に位置させる必要があった。従って、穿刺部位付近から試験部までの流路の長さが長くなる。
【０００６】
ところで、血液を試験紙まで展開するためには、連続して流路の入口から試験紙の位置まで血液が流路内を満たす必要がある。従って、流路の長さが長くなることによって、穿刺部位から出す血液の量をその分多くする必要があった。多量の血液を出すには、穿刺部位の穿刺深さを深くする必要があり、このため、穿刺するときに伴う痛みが増大し、患者の負担となっていた。
【０００７】
また、流路が長くなり点着する血液量が多くなると、点着に要する時間が長くなり、流路内にエアを巻き込むことが生じ易くなる。エアの巻き込みは、試験紙への血液の移動を妨げてしまい、確実な測定を行うことが難しくなる。
【０００８】
必要とする採血量を少量化するには、流路の径を小さくすることによっても可能であるが、製造上、精度コントロールの困難さが増大する。製造上のバラツキによって、流路の体積を一定に保つことは難しく、流路形成の工夫や流路内の親水化処理による吸引力の向上には限界があった。
【０００９】
【特許文献１】特開２００３−１５３８８５号公報
【発明の開示】
【発明が解決しようとする課題】
【００１０】
本発明の目的は、少量の体液で、その体液の所定成分が正確に測定され得る体液採取具を提供することにある。
【課題を解決するための手段】
【００１１】
このような目的は、下記（１）〜（８）の本発明により達成される。
（１）  体液成分の測定装置とともに用いられる体液採取具であって、
穿刺針と、
前記穿刺針を収納し、かつ該穿刺針が出射する先端と前記測定装置に装着される基端とを有するハウジングと、
前記穿刺針を生体表面に穿刺することによって出た体液を導入するための導入部と、該導入部と連通し、該体液を保持し該体液中の成分を検出するための検出部とを有する検出ユニットとを備え、
前記検出ユニットは、前記ハウジングの外表面に移動可能に設けられ、前記検出部が、体液を採取する第１の位置と、該第１の位置よりも基端側で前記体液成分が検出される第２の位置との間で変位可能であることを特徴とする体液採取具。
【００１２】
（２）  前記導入部が前記第１の位置において、前記ハウジングの先端に位置する上記（１）に記載の体液採取具。
【００１３】
（３）  前記ハウジングに対して回転可能に設けられ、前記検出部を保持する保持部を備えている上記（１）または（２）に記載の体液採取具。
【００１４】
（４）  前記ハウジングに対して該ハウジングの長手方向に移動可能に設けられ、前記検出部を保持する保持部を備えている上記（１）または（２）に記載の体液採取具。
【００１５】
（５）  前記検出部を前記第１の位置に停止させる第１の位置決め手段を備えている上記（１）ないし（４）のいずれかに記載の体液採取具。
【００１６】
（６）  前記検出部を前記第２の位置に停止させる第２の位置決め手段を備えている上記（１）ないし（５）のいずれかに記載の体液採取具。
【００１７】
（７）  前記検出部は、前記体液中の所定成分と反応する試験紙を有する上記（１）ないし（６）のいずれかに記載の体液採取具。
【００１８】
（８）  前記測定装置は、片手で把持および操作可能で、光学的に体液成分を測定するものである上記（１）ないし（７）のいずれかに記載の体液採取具。
【発明の効果】
【００１９】
本発明の体液採取具は、穿刺針と検出部（試験紙）が一体化されているため、測定の準備や測定後の使用済チップの廃棄などが非常に容易となる。
【００２０】
また、体液採取具の検出部が、ハウジングの先端側の体液を採取する位置（第１の位置）と、基端側の体液が測定される位置（第２の位置）との間で変位可能であるため、第２の位置（側定位置）に検出部が固定されている場合に比べ、先端から検出部へ体液を導くために必要な移送路の長さが大幅に短くなり、または検出部へ体液を直接点着することも可能となり、従って、測定に必要な体液量を減らすことができる。
【００２１】
さらに、採取する体液量を少量とすることによって、穿刺部位における穿刺針による穿刺深さを浅くすることができ、穿刺による患者への痛みを軽減することができる。
【００２２】
加えて、体液の移送路が短くなることによって、製造において、移送路に関する精度コントロールの厳しさが低減される。
【００２３】
また、採液量を少量にしても、穿刺針を収納するハウジングの先端の極近傍に導入部を位置させたので、穿刺により生じた体液を導入部に導き易くなる。
【発明を実施するための最良の形態】
【００２４】
以下、本発明の体液採取具の好適実施形態に基づいて詳細に説明する。
＜第１実施形態＞
図１は、本発明の体液採取具の第１実施形態を示す平面図、図２〜図４は、それぞれ、図１に示す体液採取具の保持部の動作を示す平面図、図５は、図１中のＡ−Ａ線断面図、図６は、図５中のＡ−Ａ線断面図である。
【００２５】
なお、以下では、図１〜図６中、左側を「先端」、右側を「基端」として、図１〜図４中、紙面奥側を「下」または「下方」、紙面手前側を「上」または「上方」として、図５中、上側を「上」または「上方」、下側を「下」または「下方」として説明する。また、図１〜図４では、試験紙を省略して示した。
【００２６】
チップ（体液採取具）１は、穿刺手段を備えるとともに、生体表面（皮膚）から採取された体液中の所定成分を光学的に測定（検出）することができる成分測定装置（血液成分測定装置）１００（例えば、特開２００２−３４９５６号公報、特開２００４−９７６０１号公報参照）に装填（装着）して使用されるものである。
【００２７】
生体表面（表皮）の体液の採取に関与する部位（体液採取部位）は、好ましくは指であるが、この他、例えば、手（手の平、手の甲、手の側部）、腕、大腿、耳たぶ等であってもよい。
【００２８】
以下では、体液として血液を、所定成分としてブドウ糖を、体液採取部位（穿刺部位）として指先（指）を、それぞれ代表に説明する。
【００２９】
図５に示すように、チップ１は、ハウジング３と、穿刺針５と、検出ユニット７とを有している。チップ１は、成分測定装置１００の端部に設けられた開口部（図示せず）にチップ１の基端側から挿入され、フランジ３９が測定装置１００の内部に設けられた止め部（図示せず）に当接することによって、測定装置１００に装着されて使用される。以下、各構成要素について、順次説明する。
【００３０】
図６に示すように、穿刺針５は、針体５１と、この針体５１の基端部に固着（固定）されたハブ５２とで構成されている。
【００３１】
針体５１は、その先端部に鋭利な針先（刃先）５１１を有している。この針先５１１により、生体表面である指先の表面（皮膚）を穿刺して、穿刺部位から血液（体液）を出させる（採取する）。
【００３２】
また、針体５１は、中空針であってもよいが、中実針であるのがより好ましい。これにより、より細径の針体５１とすることができる。その結果、皮膚の穿刺に際して、患者の苦痛をより低減することができる。
【００３３】
針体５１には、針先５１１が突出するようにしてハブ５２が設けられている。換言すれば、ハブ５２は、針体５１の針先５１１より基端側の外周を被覆するようにして設けられている。
【００３４】
ハブ５２は、先端側のほぼ円柱状をなす円柱状部５３と、基端側のほぼ直方体状をなす直方体状部５４とで構成されている。そして、円柱状部５３の外径（直径）と直方体状部５４の高さとは、ほぼ等しくなるよう設定されている。
【００３５】
円柱状部５３の先端部には、円柱状部５３の外径に対して拡径した嵌合部５３１が形成されている。この嵌合部５３１は、後述するハウジング３の嵌合部３５に嵌合する。
【００３６】
直方体状部５４の先端部には、一対の突部５４１が側方に突出して形成されている。各突部５４１は、それぞれ、後述するハウジング３の段差部３４に当接する。
【００３７】
また、直方体状部５４の基端部には、成分測定装置１００（以下、単に「測定装置」ということがある）が備える穿刺手段の先端部（ホルダ部）の形状に対応した形状の連結部５４２が形成されている。チップ１を成分測定装置に装填した状態（以下、「チップ装填状態」と言う。）で、この連結部５４２がホルダ部に嵌合（嵌入）することにより、穿刺針５が穿刺手段に連結される。
【００３８】
このような穿刺針５は、ハウジング３が有する内腔部３３内に移動可能に設けられ（収納され）ている（図６参照）。ハウジング３は、ほぼ直方体形状の部材で構成され、その先端および基端には、それぞれ内腔部３３が開放する先端開口（開口部）３１および基端開口３２が形成されている。穿刺針５が備える針体５１（少なくとも針先５１１）は、先端開口３１を通過して、ハウジング３（チップ１）の先端から出射（突出）する。
【００３９】
図６に示すように、内腔部３３は、先端側の第１内腔部３３１と、基端側の第２内腔部３３２とで構成されている。
【００４０】
第１内腔部３３１は、ほぼ円柱状をなし、その横断面積がハブ５２の嵌合部５３１の横断面積（最大）とほぼ等しいか、または、若干大きくなるよう設定されている。また、第２内腔部３３２は、ほぼ直方体状をなし、その横断面積が直方体状部５４（突部５４１の部分）の横断面積（最大）とほぼ等しいか、または、若干大きくなるよう設定されている。
【００４１】
そして、穿刺針５がハウジング３に対して移動する際に、ハブ５２の嵌合部５３１が第１内腔部３３１の内面に沿って移動し、ハブ５２の突部５４１の部分が第２内腔部３３２の内面に沿って移動する。
【００４２】
このように穿刺針５が、ハウジング３に対して移動する際に、ハブ５２の嵌合部５３１と突部５４１との２箇所で支持されるため、ハウジング３に対して円滑に移動することができるとともに、ハウジング３に対するブレが防止され、高い直進性をもって先端方向に移動する。これにより、針体５１の針先５１１のブレに伴う皮膚穿刺時の患者の苦痛の増大を好適に防止することができる。
【００４３】
また、ハウジング３には、第１内腔部３３１と第２内腔部３３２の境界部に段差部３４が形成されている。このため、穿刺針５が先端方向に移動すると、ハブ５２の突部５４１が段差部３４に当接する。これにより、穿刺針５の移動が停止し、穿刺針５の針先５１１のハウジング３からの突出長さが規制される。これにより、指（体液採取部位）を必要以上に深く穿刺することを防止することができる。
【００４４】
また、第１内腔部３３１の基端部には、第１内腔部３３１の内径に対して縮径した嵌合部３５が形成されている。この嵌合部３５には、穿刺針５の嵌合部５３１が嵌合する。これにより、チップ１の使用前および使用後、すなわち、穿刺針５の穿刺前および穿刺後において、穿刺針５がハウジング３に対して固定される。
【００４５】
また、ハウジング３の先端部には、その両側面に、一対のフランジ３９が突出して形成されている。各フランジ３９は、それぞれ、チップ装填状態で、成分測定装置１００に設けられた止め部（図示せず）当接する。また、チップ１を成分測定装置１００から取り外す際に、成分測定装置１００に設けられたイジェクト機構を操作すると、これが備えるイジェクトピンが先端方向へ移動して、その先端がハウジング３の基端部に突出形成された突出部（フィン）３７を先端方向に押圧する。これにより、チップ１が成分測定装置１００から取り外される。
【００４６】
このようなハウジング３の上面の先端側には、検出ユニット７が回転（変位）可能に設置されている。図１〜図４に示すように、この検出ユニット７がハウジング３に対して回転することにより、試験紙７３は、血液を採取する第１の位置（図１参照）と、この採取された血液が測定される第２の位置（図４参照）とに変位することができる。以下、試験紙７３が第１の位置にある検出ユニット７（チップ１）の状態を「第１の状態」といい、試験紙７３が第２の位置にある検出ユニット７の状態を「第２の状態」という。
【００４７】
チップ１では、検出ユニット７は、通常、第１の状態となっており、血液が測定されるときに、第２の状態となる。
【００４８】
図５に示すように、検出ユニット７は、穿刺針５（針先５１１）の穿刺により指先から出た血液（体液）を吸収・保持し、当該吸収・保持された血液中のブドウ糖（所定成分）を検出するものである。この検出ユニット７は、試験紙（検出部）７３と、試験紙７３を保持するベース（保持部）７６とを有している。
【００４９】
ベース７６は、本体７２と、板状体（板片）７１とで構成されている。
本体７２は、その形状がほぼ長尺状をなしている。この本体７２には、凹部７２４と、軸受（軸孔）７２６とが設けられている。凹部７２４は、本体７２の長手方向に沿って、本体７２の下面に形成されている。この凹部７２４内に、板状体７１が固着（固定）されている。
【００５０】
また、軸受７２６は、本体７２のほぼ中央部において、上下方向に本体７２を貫通するように形成されている。この軸受７２６には、この内径とほぼ同等の外径をなし、ハウジング３の上面に突出形成された軸４０が挿入（挿通）される。これにより、簡単な構成で、検出ユニット７（試験紙７３）がハウジング３に対して回転することができる。
【００５１】
図１に示すように、本体７２の上面には、試験紙７３が設置（保持）される試験紙設置部７２１が形成されている。試験紙設置部７２１は、平面視での形状がほぼ円形（試験紙７３に対応した平面形状）をなす凹部で構成され、その底面の中央部には、凹部７２４に連通する貫通孔７２２が形成されている。
【００５２】
図５に示すように、本体７２の凹部７２４内に板状体７１が固着された状態で、これらの間に形成される空間と、本体７２に形成された貫通孔７２２とにより、血液（体液）を移送する血液移送路（体液移送路）７４が構成される。
【００５３】
この血液移送路７４は、検出ユニット７の先端に開放する導入部（血液流入口）７４１と、検出ユニット７の上部（上方）に開放する血液流出口７４２とを有する。
【００５４】
血液移送路７４の血液流入口７４１に接触した血液は、毛細管現象により血液移送路７４内を移送され、血液流出口７４２を介して試験紙設置部７２１に設置された試験紙７３の中央部に供給される。その後、血液中のブドウ糖が試験紙７３の試薬と反応し、試験紙が発色する。試験紙７３の発色は、測定装置１００の測光ブロックによって測定され、後に血糖値へと変換される。
【００５５】
第１の状態では、試験紙７３が第１の位置に位置する、すなわち、試験紙７３が穿刺部位の近傍に位置することができる。これにより、血液流入口７４１から血液流出口７４２までの距離、すなわち、血液移送路７４の長さを短くすることができる。血液流入口７４１から血液流出口７４２まで連続して血液で満たされてはじめて試験紙７３へ血液が展開するので、この血液移送路７４を通過して、試験紙７３を満たすために必要な血液の量を少量とすることができる。
【００５６】
また、採取する血液の量を少量とすることができるため、指先における穿刺針５による穿刺深さを浅くすることができる。これにより、例えば、穿刺針５の穿刺による患者への痛みを軽減（抑制）することができる。
【００５７】
第２の状態では、測定装置１００によって血液成分が測定される第２の位置に、試験紙７３が位置する。これにより、採取した血液中のブドウ糖が正確に測定され得る。
【００５８】
このように、チップ１では、試験紙７３が第１の位置と第２の位置とに変位可能であることにより、少量の血液を採取することで、その血液中のブドウ糖が正確に測定され得る。
【００５９】
また、測光ブロックによって測定される試験紙７３の位置が、基端側の第２の位置であることによって、測光ブロックを第２の位置の近傍に設けることができる。従って、第２の位置より先端側にある測定装置１００の先端部分の構造を薄く、平たくすることができ、血液をチップ１に点着する際の視認性や操作性がよくなる。
【００６０】
また、チップ１によれば、採取する血液の量を通常１μＬ以下とすることができる。
また、図１および図４に示すように、ハウジング３の長手方向と平行な同一軸上において、第２の位置は、第１の位置より基端側にある。これにより、検出ユニット７をほぼ１８０度回転させることにより、試験紙７３を第１の位置と第２の位置とに容易に位置させることができる。なお、第１の位置と第２の位置とは、１８０度離間しているのに限定されない。
【００６１】
また、第１の状態では、検出ユニット７の本体７２の側面７２７が、ハウジング３のフランジ３９の縁部から上方に突出する突部３９１に当接する（図１参照）。これにより、検出ユニット７の第１の状態が維持される、すなわち、試験紙７３が第１の位置に位置決めされる。従って、試験紙７３が第１の位置に正確に位置するため、血液移送路７４の血液流入口７４１が穿刺部位のより近傍に位置することができ、よって、より少量の血液で試験紙７３を反応させることができる。
【００６２】
このように、検出ユニット７の側面７２７と、この側面７２７に当接する突部３９１とは、試験紙７３を第１の位置に停止させる（位置決めする）位置決め手段（第１の位置決め手段）としての機能を有している。
【００６３】
第２の状態では、検出ユニット７の本体７２の縁部に形成された欠損部（切欠部）７２８が、ハウジング３の上面中央部の縁部から上方に突出する突部３６に当接（係合）する。これにより、検出ユニット７の第２の状態が維持される、すなわち、試験紙７３が第２の位置に位置決めされる。従って、試験紙７３が第２の位置に正確に位置することによって、測定装置１００の光学ブロックによる試験紙７３の計測が精度よく行われる。
【００６４】
このように、検出ユニット７の欠損部７２８と、この欠損部７２８に当接する突部３６とは、試験紙７３を第２の位置に停止させる（位置決めする）位置決め手段（第２の位置決め手段）としての機能を有している。
【００６５】
また、板状体７１には、血液移送路７４内に突出する凸部７４３が形成されている。この凸部７４３は、血液流出口７４２の近傍に設けられている。これにより、血液流入口７４１側に対して血液流出口７４２側の血液移送路７４の横断面積を小さくすることができ、血液移送路７４内における毛細管現象による血液移送をより促進することができる。
【００６６】
試験紙７３は、血液中のブドウ糖を検出（反応）し得るものであり、例えば、血液を吸収可能な担体（吸収体）に、試薬（発色試薬）を担持（含浸）してなるものである。これにより、簡単な構成で試験紙７３を作製することができ、また、検出ユニット７に試験紙７３を容易に設置することができる。
【００６７】
また、この担体は、好ましくは多孔性膜で構成されている。この場合、多孔性膜は、血液中の赤血球を濾過できる程度の孔径を有するものが好ましい。
【００６８】
試験紙７３を構成する担体としては、多孔性膜の他に、例えば、不織布、織布、延伸処理したシート等のシート状多孔質基材が挙げられる。
【００６９】
多孔性膜等の担体の構成材料としては、ポリエステル類、ポリアミド類、ポリオレフィン類、ポリスルホン類またはセルロース類等が挙げられるが、試薬を溶解した水溶液を含浸させたり、血液の採取時には血球を濾過するため、親水性を有する材料または、親水化処理されたものが好ましい。
【００７０】
また、試験紙７３の担体は、単層のシートで構成してもよく、複数枚のシートを積層した多層構成であってもよい。
【００７１】
担体（多孔性膜）に含浸する試薬としては、血糖値測定用の場合、グルコースオキシダーゼ（ＧＯＤ）と、ペルオキシダーゼ（ＰＯＤ）と、例えば４−アミノアンチピリン、Ｎ−エチルＮ−（２−ヒドロキシ−３−スルホプロピル）−ｍ−トルイジンのような発色剤（発色試薬）とが挙げられ、その他、測定成分に応じて、例えばアスコルビン酸オキシダーゼ、アルコールオキシダーゼ、アルコールデヒドロゲナーゼ、ガラクトースオキシダーゼ、フルクトースデヒドロゲナーゼ、コレステロールオキシダーゼ、コレステロールデヒドロゲナーゼ、乳酸オキシダーゼ、乳酸デヒドロゲナーゼ、ビリルビンオキシダーゼ、キサンチンオキシダーゼ等の血液成分（所定の成分）と反応する酵素と、前記と同様の発色剤（発色試薬）とが挙げられる。また、さらにリン酸緩衝液のような緩衝剤が含まれていてもよい。なお、試薬の種類、成分については、これらに限定されないことは言うまでもない。
【００７２】
次に、チップ１を用いて血液中のブドウ糖を測定する際の使用方法について説明する。
まず、チップ１は、成分測定装置１００の端部に設けられた開口部（図示せず）にチップ１の基端側から挿入され、フランジ３９が測定装置１００の内部に設けられた止め部（図示せず）に当接することによって装着される。その際に、測定装置１００内に備える穿刺手段の先端部（ホルダ部）に連結部５４２が嵌合し、穿刺針５が穿刺手段に連結される。
【００７３】
次に、穿刺部位の皮膚をチップ１の先端開口３１に宛がい、穿刺手段を作動させて皮膚を穿刺する。一旦、チップ１から皮膚を離し、穿刺部位の周囲を指で圧迫して血液を出させる。その血液をチップ１の導入部（血液流入口）７４１に点着し、試験紙７３に血液を展開させる。
【００７４】
次に、検出ユニット７を回転させ、基端側の測定位置（第２の位置）に試験紙７３を移動させる。試験紙７３に含まれる試薬とブドウ糖との反応によって生じる発色の度合いが、測定装置１００内に備える光学ブロックによって測定され、測定装置１００内に備える演算部によって、ブドウ糖値へと変換される。
測定終了後にチップ１は、測定装置１００から離脱されて廃棄される。
【００７５】
＜第２実施形態＞
次に、本発明の体液採取具の第２実施形態について説明する。
【００７６】
図７は、本発明の体液採取具の第２実施形態を示す平面図、図８は、図７に示す体液採取具の保持部の動作を示す平面図、図９は、図７中のＡ−Ａ線断面図である。
【００７７】
なお、以下では、図７および図８中、左側を「先端」、右側を「基端」として、図９中の上側を「上」または「上方」、下側を「下」または「下方」として説明する。また、図７および図８では、試験紙を省略して示した。
【００７８】
以下、第２実施形態のチップについて、前記第１実施形態のチップとの相違点を中心に説明し、同様の事項については、その説明を省略する。
【００７９】
第２実施形態のチップは、検出ユニットの構成が異なり、それ以外は、前記第１実施形態のチップと同様である。
【００８０】
本実施形態のチップ１Ａでは、検出ユニット７Ａがハウジング３に対して、ハウジング３の長手方向に移動可能に設けられている。
【００８１】
図７および図８に示すように、検出ユニット７Ａ（本体７２）の側面７２７には、長手方向に沿って、板状（長尺状）の２本のレール７５が形成されている。
【００８２】
ハウジング３の上面中央部には、各レール７５を挟持する爪部（挟持部）４１が形成されている。
【００８３】
また、ハウジング３の上面先端部には、上方に突出した突部３８が形成されている。各突部３８の先端部は、検出ユニット７Ａのレール７５の先端に、側方（図７中の上下方向）に向って突出形成された突起部７７と係合する。この係合により、検出ユニット７Ａは、第１の位置に停止することができる。なお、検出ユニット７Ａが移動するときには、突起部７７が突部３８を側方に押し広げ（押圧し）、前記係合を解除する。
【００８４】
爪部４１によってレール７５が案内されていることにより、検出ユニット７Ａ（試験紙７３）が第１の位置（図７参照）と第２の位置（図８参照）との間を円滑に移動することができる。また、これにより、第２の位置での正確な位置決めを可能としている。
【００８５】
また、前記第１実施形態の検出ユニット７が回転するときと比較し、検出ユニット７Ａがハウジング３の長手方向に移動することにより、回転する検出ユニット７の回転スペース（デッドスペース）が生じるのが防止される。
【００８６】
図７に示すように、第１の位置では、爪部４１が、レール７５の基端側の端部に形成されている壁面７５１に当接する。これにより、検出ユニット７Ａが第１の位置に位置決めされる。また、先に述べた突部３８と突起部７７との係合によって、検出ユニット７Ａは、第１の位置に固定される。
【００８７】
このように、チップ１Ａでは、爪部４１と、この爪部４１に当接する壁面７５１とが、検出ユニット７Ａを第１の位置に停止させる（位置決めする）位置決め手段（第１の位置決め手段）としての機能を有している。
【００８８】
また、図８に示すように、第２の位置では、爪部４１が、レール７５の先端側の端部に形成されている突起部７７の壁面７５２に当接する。これにより、検出ユニット７Ａが第２の位置に位置決めされる。
【００８９】
このように、チップ１Ａでは、爪部４１と、この爪部４１に当接する壁面７５２とが、検出ユニット７Ａを第２の位置に停止させる（位置決めする）位置決め手段（第２の位置決め手段）としての機能を有している。
【００９０】
また、爪部４１とハウジング３とがレール７５を上下方向に挟持しているため、検出ユニット７Ａが上下方向に移動するのが規制（防止）される（図９参照）。これにより、検出ユニット７Ａが円滑に（安定して）ハウジング３の長手方向に移動することができる。
【００９１】
図９に示すように、爪部４１は、本体７２の側面７２７に当接している。これにより、検出ユニット７Ａが両側（図９中の左右方向）から支持されることとなり、この検出ユニット７Ａが円滑に（安定して）移動することができる。
【００９２】
なお、チップ１Ａは、検出ユニット７Ａを先端側に付勢する付勢手段を有しているのが好ましい。これにより、血液を採取するとき、検出ユニット７Ａが確実に第１の位置に位置することができる。
【００９３】
また、チップ１Ａがこの付勢手段を有した場合、第２の位置で検出ユニット７Ａがハウジング３に対して係止されるよう構成されているのが好ましい。これにより、検出ユニット７Ａが不本意に先端側（第１の位置へ）移動するのが防止される。
【００９４】
また、検出ユニット７Ａの移動距離は、特に限定されないが、例えば、２〜３０ｍｍであるのが好ましく、５〜１５ｍｍであるのがより好ましい。
【００９５】
以上、本発明の体液採取具を図示の各実施形態に基づいて説明したが、本発明は、これらに限定されるものではなく、各部の構成は、同様の機能を発揮し得る任意の構成のものに置換することができる。
【００９６】
また、前記各実施形態では、検出ユニットの変位動作は、いずれも手動もしくは自動で行われ、駆動方法は特に限定されない。
【００９７】
また、前記各実施形態では、採取する体液として、血液を代表として説明したが、本発明では、採取する体液は、これに限らず、例えば、汗、リンパ液、間質液、髄液等であってもよい。
【００９８】
また、前記各実施形態では、測定目的とする成分（所定成分）として、ブドウ糖を代表として説明したが、測定目的の成分は、これに限らず、例えば、タンパク、コレステロール、尿酸、クレアチニン、糖化ヘモグロビン、ケトン体、ビリルビン、ホルモン、アルコール等の有機化合物、アンモニア、ナトリウム、カリウム、カルシウム、塩素、リン酸、炭酸、ｐＨ等の無機イオン等であってもよい。
【図面の簡単な説明】
【００９９】
【図１】本発明の体液採取具の第１実施形態を示す平面図である。
【図２】図１に示す体液採取具の保持部の動作を示す平面図である。
【図３】図１に示す体液採取具の保持部の動作を示す平面図である。
【図４】図１に示す体液採取具の保持部の動作を示す平面図である。
【図５】図１中のＡ−Ａ線断面図である。
【図６】図５中のＡ−Ａ線断面図である。
【図７】本発明の体液採取具の第２実施形態を示す平面図である。
【図８】図７に示す体液採取具の保持部の動作を示す平面図である。
【図９】図７中のＡ−Ａ線断面図である。
【符号の説明】
【０１００】
１、１Ａ      チップ
３            ハウジング
３１          先端開口
３２          基端開口
３３          内腔部
３３１        第１内腔部
３３２        第２内腔部
３４          段差部
３５          嵌合部
３６          突部
３７          突出部
３８          突部
３９          フランジ
３９１        突部
４０          軸
４１          爪部
５            穿刺針
５１          針体
５１１        針先
５２          ハブ
５３          円柱状部
５３１        嵌合部
５４          直方体状部
５４１        突部
５４２        連結部
７、７Ａ      検出ユニット
７１          板状体
７２          本体
７２１        試験紙設置部
７２２        貫通孔
７２４        凹部
７２６        軸受
７２７        側面
７２８        欠損部
７３          試験紙
７４          血液移送路
７４１        導入部（血液流入口）
７４２        血液流出口
７４３        凸部
７５          レール
７５１、７５２  壁面
７６          ベース
７７          突起部
１００        成分測定装置
【図１】
2005348816.tif 000003
【図２】
2005348816.tif 000004
【図３】
2005348816.tif 000005
【図４】
2005348816.tif 000006
【図５】
2005348816.tif 000007
【図６】
2005348816.tif 000008
【図７】
2005348816.tif 000009
【図８】
2005348816.tif 000010
【図９】
2005348816.tif 000011